【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
前記有利状態に制御される期待度に応じて複数段階のうちのいずれかの段階により予告演出を実行可能な予告演出実行手段と、
発光手段と、を備え、
前記発光手段は、特定演出に関連して発光するときと、予告演出に関連して発光するときと、があり、
前記予告演出実行手段は、予告演出として、第１予告演出と第２予告演出とを実行可能であり、
第１予告演出は、第２予告演出よりも視認性が高く、
特定演出の実行中において、第１予告演出の段階が所定段階以上である場合に該第１予告演出に対応した発光パターンにより前記発光手段の発光制御を行い、第１予告演出の段階が該所定段階未満である場合に該特定演出に対応した発光パターンにより前記発光手段の発光制御を行うことが可能であり、
特定演出の実行中において、第２予告演出の段階が第１予告演出における前記所定段階以上である場合にも該特定演出に対応した発光パターンにより前記発光手段の発光制御を行うことが可能であり、
前記発光手段は、前記予告演出に関連して発光不可能な特定発光手段と、を含む、
ことを特徴とする遊技機。
【請求項２】
可変表示を行い、遊技者にとって有利な有利状態に制御可能な遊技機であって、
前記有利状態に制御される期待度が異なる複数の演出態様により予告演出を実行可能な予告演出実行手段と、
発光手段と、を備え、
前記発光手段は、特定演出に関連して発光するときと、予告演出に関連して発光するときと、があり、
前記予告演出実行手段は、予告演出として、第１予告演出と第２予告演出とを実行可能であり、
第１予告演出は、第２予告演出よりも視認性が高く、
特定演出の実行中において、第１予告演出の演出態様が前記有利状態に制御される期待度が特定期待度以上の特定態様である場合に該第１予告演出に対応した発光パターンにより前記発光手段の発光制御を行い、第１予告演出の演出態様が前記有利状態に制御される期待度が該特定期待度未満の演出態様である場合に該特定演出に対応した発光パターンにより前記発光手段の発光制御を行うことが可能であり、
特定演出の実行中において、第２予告演出の演出態様が第１予告演出における前記特定態様と少なくとも一部が共通する演出態様である場合に該特定演出に対応した発光パターンにより前記発光手段の発光制御を行うことが可能であり、
前記発光手段は、前記予告演出に関連して発光不可能な特定発光手段と、を含む、
ことを特徴とする遊技機。
【手続補正２】
【補正対象書類名】明細書
【補正対象項目名】００１１
【補正方法】変更
【補正の内容】
【００１１】
（Ａ）可変表示を行い、遊技者にとって有利な有利状態に制御可能な遊技機であって、
前記有利状態に制御される期待度に応じて複数段階のうちのいずれかの段階により予告演出を実行可能な予告演出実行手段と、
発光手段と、を備え、
前記発光手段は、特定演出に関連して発光するときと、予告演出に関連して発光するときと、があり、
前記予告演出実行手段は、予告演出として、第１予告演出と第２予告演出とを実行可能であり、
第１予告演出は、第２予告演出よりも視認性が高く、
特定演出の実行中において、第１予告演出の段階が所定段階以上である場合に該第１予告演出に対応した発光パターンにより前記発光手段の発光制御を行い、第１予告演出の段階が該所定段階未満である場合に該特定演出に対応した発光パターンにより前記発光手段の発光制御を行うことが可能であり、
特定演出の実行中において、第２予告演出の段階が第１予告演出における前記所定段階以上である場合にも該特定演出に対応した発光パターンにより前記発光手段の発光制御を行うことが可能であり、
前記発光手段は、前記予告演出に関連して発光不可能な特定発光手段と、を含む、
ことを特徴とする。
（１）本発明による遊技機は、可変表示（例えば、特別図柄や演出図柄の変動表示）を行い、遊技者にとって有利な有利状態（例えば、大当り状態）に制御可能な遊技機であって、有利状態に制御される期待度に応じて複数段階のうちのいずれかの段階により予告演出（例えば、ステップアップ演出やミニキャラ演出）を実行可能な予告演出実行手段と、発光手段（例えば、ランプ２００やランプ２００のうちの特別ランプ（発光部材２００ｄ））と、を備え、発光手段は、特定演出（例えば、ＢＧＭ演出など）に関連して発光するときと、予告演出に関連して発光するときと、があり、特定演出の実行中において、予告演出の段階が所定段階以上である場合には該予告演出に関連させて発光手段の発光制御を行い、予告演出の段階が該所定段階未満である場合には該特定演出に関連させて発光手段の発光制御を行う（図５９（２）参照）ことを特徴とする。
そのような構成によれば、予告演出の段階が所定段階未満である場合には特定演出に関連させて発光手段の発光制御が行われるため、すなわち中断されないため、遊技興趣の低下を防止することができる。
【手続補正３】
【補正対象書類名】明細書
【補正対象項目名】００１２
【補正方法】変更
【補正の内容】
【００１２】
（Ｂ）可変表示を行い、遊技者にとって有利な有利状態に制御可能な遊技機であって、
前記有利状態に制御される期待度が異なる複数の演出態様により予告演出を実行可能な予告演出実行手段と、
発光手段と、を備え、
前記発光手段は、特定演出に関連して発光するときと、予告演出に関連して発光するときと、があり、
前記予告演出実行手段は、予告演出として、第１予告演出と第２予告演出とを実行可能であり、
第１予告演出は、第２予告演出よりも視認性が高く、
特定演出の実行中において、第１予告演出の演出態様が前記有利状態に制御される期待度が特定期待度以上の特定態様である場合に該第１予告演出に対応した発光パターンにより前記発光手段の発光制御を行い、第１予告演出の演出態様が前記有利状態に制御される期待度が該特定期待度未満の演出態様である場合に該特定演出に対応した発光パターンにより前記発光手段の発光制御を行うことが可能であり、
特定演出の実行中において、第２予告演出の演出態様が第１予告演出における前記特定態様と少なくとも一部が共通する演出態様である場合に該特定演出に対応した発光パターンにより前記発光手段の発光制御を行うことが可能であり、
前記発光手段は、前記予告演出に関連して発光不可能な特定発光手段と、を含む、
ことを特徴とする。
（２）本発明による遊技機は、可変表示（例えば、特別図柄や演出図柄の変動表示）を行い、遊技者にとって有利な有利状態（例えば、大当り状態）に制御可能な遊技機であって、有利状態に制御される期待度が異なる複数の演出態様により予告演出（例えば、ステップアップ演出やミニキャラ演出、カットイン演出など）を実行可能な予告演出実行手段と、発光手段（例えば、ランプ２００やランプ２００のうちの特別ランプ（発光部材２００ｄ））と、を備え、発光手段は、特定演出に関連して発光するときと、予告演出に関連して発光するときと、があり、特定演出の実行中において、予告演出の演出態様による期待度が所定期待度以上である場合には該予告演出に関連させて発光手段の発光制御を行い、予告演出の演出態様による期待度が該所定期待度未満である場合には該特定演出に関連させて発光手段の発光制御を行う（図５９（２）参照）ことを特徴とする。
そのような構成によれば、予告演出の演出態様による期待度が所定期待度未満である場合には特定演出に関連させて発光手段の発光制御が行われるため、すなわち中断されないため、遊技興趣の低下を防止することができる。